(57)【要約】【課題】ＤＲＸ制御が適用された移動通信システムにおいて、品質情報であるＣＳＩ／ＳＲＳを送信する移動局及びＣＳＩ／ＳＲＳを期待する基地局の動作の不整合の発生を回避する。【解決手段】移動局は、基地局と通信する移動局であって、間欠受信制御におけるアクティブ状態であるか否かを示す当該移動局の状態に基づき、所定の時間経過時に無線品質を示す品質情報を前記基地局に送信するか否かを判定する手段と、前記判定により前記品質情報を送信しないと判定された場合であっても、前記所定の時間経過前にＳｃｈｅｄｕｌｉｎｇ  Ｒｅｑｕｅｓｔが前記基地局に送信された場合、前記所定の時間経過時に前記品質情報を送信する手段とを有する。【選択図】図７
2014220683.tif 000002
【特許請求の範囲】
【請求項１】
基地局と通信する移動局であって、
間欠受信制御におけるアクティブ状態であるか否かを示す当該移動局の状態に基づき、所定の時間経過時に無線品質を示す品質情報を前記基地局に送信するか否かを判定する手段と、
前記判定により前記品質情報を送信しないと判定された場合であっても、前記所定の時間経過前にＳｃｈｅｄｕｌｉｎｇ  Ｒｅｑｕｅｓｔが前記基地局に送信された場合、前記所定の時間経過時に前記品質情報を送信する手段とを有する移動局。
【請求項２】
基地局と通信する移動局であって、
間欠受信制御におけるアクティブ状態であるか否かを示す当該移動局の状態に基づき、所定の時間経過時に無線品質を示す品質情報を前記基地局に送信するか否かを判定する手段と、
前記判定による判定結果に基づき、前記品質情報の送信を制御する手段とを有し、
前記判定により前記品質情報を送信しないと判定された場合、当該移動局からＳｃｈｅｄｕｌｉｎｇ  Ｒｅｑｕｅｓｔが送信される場合であっても、前記品質情報を送信しない移動局。
【請求項３】
移動局と通信する基地局であって、
間欠受信制御におけるアクティブ状態であるか否かを示す前記移動局の状態に基づき、所定の時間経過時に前記移動局から送信される無線品質を示す品質情報を期待するか否かを判定する手段と、
前記判定により前記品質情報を期待しないと判定された後、前記所定の時間経過前に前記移動局からのＳｃｈｅｄｕｌｉｎｇ  Ｒｅｑｕｅｓｔを受信した場合、前記Ｓｃｈｅｄｕｌｉｎｇ  Ｒｅｑｕｅｓｔの受信後に前記移動局から送信される最初の品質情報を期待しないように制御する制御手段とを有する基地局。
【請求項４】
前記制御手段は、
前記判定により前記品質情報を期待しないと判定された後、前記所定の時間経過前に前記移動局からのＳｃｈｅｄｕｌｉｎｇ  Ｒｅｑｕｅｓｔを受信した場合、前記Ｓｃｈｅｄｕｌｉｎｇ  Ｒｅｑｕｅｓｔの受信後に前記移動局から送信される最初の品質情報に対する処理における上りリンクの送信が他の移動局の上りリンクの送信と衝突しないようにスケジューリングを行う請求項３記載の基地局。
【請求項５】
前記最初の品質情報は、前記Ｓｃｈｅｄｕｌｉｎｇ  Ｒｅｑｕｅｓｔの受信後、所定時間内に前記移動局から送信される品質情報である請求項３又は４記載の基地局。
【請求項６】
移動局と、該移動局と通信する基地局とを有する移動通信システムであって、
前記移動局は、
間欠受信制御におけるアクティブ状態であるか否かを示す当該移動局の状態に基づき、所定の時間経過時に無線品質を示す品質情報を前記基地局に送信するか否かを判定する手段と、
前記判定により前記品質情報を送信しないと判定された場合であっても、前記所定の時間経過前にＳｃｈｅｄｕｌｉｎｇ  Ｒｅｑｕｅｓｔが前記基地局に送信された場合、前記所定の時間経過時に前記品質情報を送信する手段とを有し、
前記基地局は、
前記所定の時間経過前に前記移動局からのＳｃｈｅｄｕｌｉｎｇ  Ｒｅｑｕｅｓｔを受信した場合、前記所定の時間経過時に前記移動局から送信される前記品質情報を期待する手段を有する移動通信システム。
【請求項７】
移動局と、該移動局と通信する基地局とを有する移動通信システムであって、
前記移動局は、
間欠受信制御におけるアクティブ状態であるか否かを示す当該移動局の状態に基づき、所定の時間経過時に無線品質を示す品質情報を前記基地局に送信するか否かを判定する手段と、
当該移動局における前記判定による判定結果に基づき、前記品質情報の送信を制御する手段とを有し、
前記基地局は、
前記状態に基づき、前記所定の時間経過時に前記移動局から送信される前記品質情報を期待するか否かを判定する手段と、
当該基地局における前記判定による判定結果に基づき、前記品質情報を期待するか否かを制御する手段とを有し、
前記判定により前記品質情報を送信しないと判定された場合、当該移動局からＳｃｈｅｄｕｌｉｎｇ  Ｒｅｑｕｅｓｔが送信される場合であっても、前記品質情報を送信しないとされる移動通信システム。
【請求項８】
無線品質を示す品質情報を基地局に送信する移動局が行う送信制御方法であって、
間欠受信制御におけるアクティブ状態であるか否かを示す当該移動局の状態に基づき、所定の時間経過時に前記品質情報を前記基地局に送信するか否かを判定するステップと、
前記判定により前記品質情報を送信しないと判定された場合であっても、前記所定の時間経過前にＳｃｈｅｄｕｌｉｎｇ  Ｒｅｑｕｅｓｔが前記基地局に送信された場合、前記所定の時間経過時に前記品質情報を送信するステップとを有する送信制御方法。
【請求項９】
無線品質を示す品質情報を基地局に送信する移動局が行う送信制御方法であって、
間欠受信制御におけるアクティブ状態であるか否かを示す当該移動局の状態に基づき、所定の時間経過時に前記品質情報を前記基地局に送信するか否かを判定するステップと、
前記判定による判定結果に基づき、前記品質情報の送信を制御するステップとを有し、
前記判定により前記品質情報を送信しないと判定された場合、前記移動局からＳｃｈｅｄｕｌｉｎｇ  Ｒｅｑｕｅｓｔが送信される場合であっても、前記品質情報を送信しないとされる送信制御方法。
【請求項１０】
移動局から送信される無線品質を示す品質情報を受信する基地局が行う受信制御方法であって、
間欠受信制御におけるアクティブ状態であるか否かを示す前記移動局の状態に基づき、所定の時間経過時に前記移動局から送信される前記品質情報を期待するか否かを判定するステップと、
前記判定により前記品質情報を期待しないと判定された後、前記所定の時間経過前に前記移動局からのＳｃｈｅｄｕｌｉｎｇ  Ｒｅｑｕｅｓｔを受信した場合、前記Ｓｃｈｅｄｕｌｉｎｇ  Ｒｅｑｕｅｓｔの受信後に前記移動局から送信される最初の品質情報を期待しないように制御するステップとを有する受信制御方法。
【発明の詳細な説明】
【技術分野】
【０００１】
本発明は、ＬＴＥ等の移動通信システムにおける移動局及び基地局に関するものであり、特に、ＤＲＸ制御が適用された移動通信システムにおける移動局と基地局との信号の送受信を制御する技術に関連するものである。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において標準化されているＬＴＥ（Ｌｏｎｇ  Ｔｅｒｍ  Ｅｖｏｌｕｔｉｏｎ）では、移動局（ＵＥ）のバッテリ消耗を抑制する観点から、移動局が送受信するデータが一定期間以上存在しない場合、基地局（ｅＮＢ）から送信される下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を特定の期間のみ、間欠的に受信するＤＲＸ（Ｄｉｓｃｏｎｔｉｎｕｏｕｓ  Ｒｅｃｅｐｔｉｏｎ：間欠受信）制御が採用されている（例えば、非特許文献１参照）。具体的には、ＤＲＸ制御によりＤＲＸ状態に遷移した移動局のＲＲＣ  Ｃｏｎｎｅｃｔｅｄに基づき、移動局をＡｃｔｉｖｅ状態又はＩｎａｃｔｉｖｅ状態のいずれかとして管理する。Ａｃｔｉｖｅ状態に遷移した移動局は、ＰＤＣＣＨを監視し、基地局に対し、ＣＳＩ（Ｃｈａｎｎｅｌ  Ｓｔａｔｅ  Ｉｎｆｏｒｍａｔｉｏｎ：チャネル状態情報）／ＳＲＳ（Ｓｏｕｎｄｉｎｇ  Ｒｅｆｅｒｅｎｃｅ  Ｓｉｇｎａｌ：上りチャネル品質測定用参照信号）を送信する（「ＣＳＩ／ＳＲＳ  ｒｅｐｏｒｔｉｎｇを行う」ともいう）。なお、ＣＳＩには、チャネル品質情報（ＣＱＩ）、プリコーディングマトリックス指標（ＰＭＩ）、ランク指標（ＲＩ）等が含まれる。一方、Ｉｎａｃｔｉｖｅ状態に遷移した移動局は、ＰＤＣＣＨを監視せず、ＣＳＩ／ＳＲＳを送信しないため、移動局のバッテリ消耗を抑制できる。なお、Ａｃｔｉｖｅ状態である時間をＡｃｔｉｖｅ  Ｔｉｍｅともいう。
【０００３】
また、移動局がＩｎａｃｔｉｖｅ状態に遷移する契機のひとつとして、ｄｒｘ−ＩｎａｃｔｉｖｉｔｙＴｉｍｅｒが満了した場合が挙げられる。また、他のＩｎａｃｔｉｖｅ状態に遷移する契機として、基地局が送信するＤＲＸ  ｃｏｍｍａｎｄ  ＭＡＣ  Ｃｏｎｔｒｏｌ  Ｅｌｅｍｅｎｔ（以下、ＤＲＸ  ｃｏｍｍａｎｄ  ＭＡＣ  ＣＥ）を移動局が受信した場合が挙げられる（移動局がＤＲＸ  ｃｏｍｍａｎｄ  ＭＡＣ  ＣＥを受信すると、ｄｒｘ−ＩｎａｃｔｉｖｉｔｙＴｉｍｅｒは強制的に停止する）。一方、移動局がＡｃｔｉｖｅ状態に遷移する契機のひとつとして、移動局において上り方向におけるユーザデータが発生した際に、上り方向の個別リソース（例えば、上り制御チャネル（ＰＵＣＣＨ：Ｐｈｙｓｉｃａｌ  Ｕｐｌｉｎｋ  Ｃｏｎｔｒｏｌ  Ｃｈａｎｎｅｌ））を保持しているとき、上り方向における当該移動局のスケジューリングを要求するＳｃｈｅｄｕｌｉｎｇ  Ｒｅｑｕｅｓｔ（以下、ＳＲ）を基地局に送信する場合がある。 
しかしながら、上述した従来のＤＲＸ制御におけるＣＳＩ／ＳＲＳに関する処理には、次のような問題があった。まず、Ａｃｔｉｖｅ状態の移動局において、Ａｃｔｉｖｅ  Ｔｉｍｅが突然延長されると、移動局はＣＳＩ／ＳＲＳを送信できなかったり、Ａｃｔｉｖｅ  Ｔｉｍｅが突然終了すると、ＣＳＩ／ＳＲＳの送信を停止できなかったりするといった問題がある。また、基地局は、上記のように移動局からＣＳＩ／ＳＲＳが送信されたり、送信されなかったりする場合が起こり得るため、両者の場合に対応するための処理負荷がかかってしまうといった問題がある。ここで、図１を用いて本事象の一例を具体的に説明する。
【０００４】
図１（ａ）は、従来のＤＲＸ制御における移動局及び基地局の動作を示す図である。なお、図１中の「ｎ」（「ｎ−３」〜「ｎ＋９」）はサブフレーム（ｓｕｂｆｒａｍｅ：１ｍｓ）である。図１（ａ）に示されるように、まず移動局においてｄｒｘ−ＩｎａｃｔｉｖｉｔｙＴｉｍｅｒが起動される（Ｓ１１）。次に、基地局は移動局のＤＲＸ状態をＩｎａｃｔｉｖｅ状態に遷移させるため、対象の移動局に対してＤＲＸ  ｃｏｍｍａｎｄ  ＭＡＣ  ＣＥを送信する（Ｓ１２）。ＤＲＸ  ｃｏｍｍａｎｄ  ＭＡＣ  ＣＥを受信した移動局は、起動中のｄｒｘ−ＩｎａｃｔｉｖｉｔｙＴｉｍｅｒを停止させ、Ａｃｔｉｖｅ  Ｔｉｍｅを終了する（Ｓ１３）。ここで、移動局ではＤＲＸ  ｃｏｍｍａｎｄ  ＭＡＣ  ＣＥの受信を契機にＡｃｔｉｖｅ  Ｔｉｍｅが突然終了してしまったため、ＣＳＩ／ＳＲＳの送信を直ちに停止できない可能性がある。そのため、移動局は、ＣＳＩ／ＳＲＳを基地局に送信してしまう（Ｓ１４）。一方、基地局は、ステップＳ１２においてＤＲＸ  ｃｏｍｍａｎｄ  ＭＡＣ  ＣＥを送信した移動局がＣＳＩ／ＳＲＳの送信処理を停止しているのか不明である。すなわち、基地局と移動局とがＣＳＩ／ＳＲＳに関する処理に対して期待した動作と異なる又は相互のＣＳＩ／ＳＲＳ処理の動作を特定できないため、ミスマッチ（不整合）が発生するという問題があった。なお、このミスマッチの発生により、例えば基地局が移動局からのＣＳＩ／ＳＲＳの送信を期待している場合に当該移動局からＣＳＩ／ＳＲＳが送信されないと、基地局は当該移動局のリンクの品質の推定処理において雑音や干渉等を復号し、これらに基づき品質を推定してしまうため推定精度が低下するといった影響がある。一方、例えば、基地局が移動局からのＣＳＩ／ＳＲＳの送信を期待していない場合に当該移動局からのＣＳＩ／ＳＲＳが送信されると、他の移動局から送信される上りリンク（ＵＬ）信号と衝突し干渉を引き起こしてしまうといった影響がある。
【０００５】
そこで、上記ミスマッチの発生を回避するため、各時点（ｓｕｂｆｒａｍｅ（ＴＴＩ））における移動局の状態や情報（Ａｃｔｉｖｅ状態であるか否か等）に基づき、４ｍｓ経過後の移動局の状態を推定し、４ｍｓ経過後にＣＳＩ／ＳＲＳを送信するか否かを判定する処理（ｎ−４ａｐｐｒｏａｃｈという）が開示されている（例えば、非特許文献２参照）。この場合、ｓｕｂｆｒａｍｅ「ｎ−４」時点から４ｍｓが経過するｓｕｂｆｒａｍｅ「ｎ」までの間に、ｓｕｂｆｒａｍｅ「ｎ」時点における移動局の状態を遷移させるイベントが発生したとしても、ｓｕｂｆｒａｍｅ「ｎ−４」時点での判定に基づきｓｕｂｆｒａｍｅ「ｎ」時点でＣＳＩ／ＳＲＳを送信するか否かが制御される。なお、ｎ−４ａｐｐｒｏａｃｈにおいて、ｓｕｂｆｒａｍｅ「ｎ−４」時点で、４ｍｓ経過後（すなわち、ｓｕｂｆｒａｍｅ「ｎ」）の移動局の推定された状態（推定状態）がＡｃｔｉｖｅ状態である場合、ｓｕｂｆｒａｍｅ「ｎ」時点で移動局はＣＳＩ／ＳＲＳの送信処理を行い、基地局は受信処理を行う。一方、ｓｕｂｆｒａｍｅ「ｎ−４」時点で、４ｍｓ経過後（すなわち、ｓｕｂｆｒａｍｅ「ｎ」）の移動局の推定状態がＡｃｔｉｖｅ状態でない場合（Ｉｎａｃｔｉｖｅ状態である場合）、ｓｕｂｆｒａｍｅ「ｎ」時点で移動局はＣＳＩ／ＳＲＳの送信処理を行わず、基地局は受信処理を行わない。
【０００６】
次に、ｎ−４ａｐｐｒｏａｃｈによる具体的な動作を図１（ｂ）に基づき説明する。図１（ｂ）は、ｎ−４ａｐｐｒｏａｃｈが適用された場合のＤＲＸ制御における移動局及び基地局の動作を示す図である。図１（ｂ）に示されるように、ｎ−４ａｐｐｒｏａｃｈの判定処理として、移動局は、ｓｕｂｆｒａｍｅ「ｎ−２」時点における４ｍｓ後の推定状態に基づき、４ｍｓ後（ｓｕｂｆｒａｍｅ「ｎ＋２」）にＣＳＩ／ＳＲＳの送信処理を行う否かを判定する（Ｓ１１ａ）。図１（ｂ）の例では、移動局はｓｕｂｆｒａｍｅ「ｎ−２」時点では４ｍｓ後の状態はＡｃｔｉｖｅ  Ｔｉｍｅ、すなわちＡｃｔｉｖｅ状態であると推定できるため、移動局はｓｕｂｆｒａｍｅ「ｎ＋２」時点でＣＳＩ／ＳＲＳを送信するように制御される。同様に、基地局は、ｓｕｂｆｒａｍｅ「ｎ−２」時点における４ｍｓ後の推定状態に基づき、４ｍｓ後（ｓｕｂｆｒａｍｅ「ｎ＋２」）にＣＳＩ／ＳＲＳの送信処理を行うか否かを判定する（Ｓ１１ｂ）。図１（ｂ）の例では、基地局はｓｕｂｆｒａｍｅ「ｎ−２」時点ではＤＲＸ  ｃｏｍｍａｎｄ  ＭＡＣ  ＣＥを送信していないため、ｓｕｂｆｒａｍｅ「ｎ＋２」における移動局の状態がＡｃｔｉｖｅ状態であると判断し、ｓｕｂｆｒａｍｅ「ｎ＋２」時点でＣＳＩ／ＳＲＳの受信を試みるように制御される。そして、移動局は、ステップＳ１１ａにおける判定結果に基づき、ＣＳＩ／ＳＲＳを基地局に送信する（Ｓ１４）。このように、ＤＲＸ制御にｎ−４ａｐｐｒｏａｃｈを適用することにより、ｓｕｂｆｒａｍｅ「ｎ＋４」時点での移動局／基地局におけるＣＳＩ／ＳＲＳの送信／受信処理を行うか否かを、ｓｕｂｆｒａｍｅ「ｎ」時点での移動局の状態に基づき判定されるため、図１（ａ）の場合のようなミスマッチの発生を回避できる。
【先行技術文献】
【非特許文献】
【０００７】
【非特許文献１】３ＧＰＰ  ＴＳ  ３６．３２１
【非特許文献２】３ＧＰＰ  Ｓｐｅｃｉｆｉｃａｔｉｏｎ  Ｃｈａｎｇｅ  Ｒｅｑｕｅｓｔ  ｒｅｃｏｒｄｓ  ｆｏｒ  ３６．３２１；Ｒ２−１３０８４４
【発明の概要】
【発明が解決しようとする課題】
【０００８】
しかしながら、ＤＲＸ制御時においてＳｃｈｅｄｕｌｉｎｇ  Ｒｅｑｕｅｓｔ（ＳＲ）の送信処理が行われる場合、ｎ−４ａｐｐｒｏａｃｈを適用させたとしても上記問題が解決されない場合がある。図２に基づき具体的な動作を説明する。図２は、ｎ−４ａｐｐｒｏａｃｈが適用されたＤＲＸ制御においてＳＲがトリガされた場合の移動局及び基地局の動作を示す図である。
【０００９】
図２（ａ）には、移動局においてＳＲがトリガされた後、ｎ−４ａｐｐｒｏａｃｈによるＣＳＩ／ＳＲＳ送信（受信）判定処理が行われる場合の動作を示している。なお、移動局におけるＳＲのトリガ後、所定時間の経過後にＳＲが移動局から基地局に送信される。まず、移動局においてＳＲがトリガされる（Ｓ２１）。その後、基地局は移動局のＤＲＸ状態をＩｎａｃｔｉｖｅ状態に遷移させるため、対象の移動局に対してＤＲＸ  ｃｏｍｍａｎｄ  ＭＡＣ  ＣＥを送信する（Ｓ２２）。次に、ｎ−４ａｐｐｒｏａｃｈの判定処理として、移動局は、ｓｕｂｆｒａｍｅ「ｎ」時点の状態に基づき、４ｍｓ後（ｓｕｂｆｒａｍｅ「ｎ＋４」）にＣＳＩ／ＳＲＳの送信処理を行う否かを判定する（Ｓ２３）。図２（ａ）の例では、移動局はｓｕｂｆｒａｍｅ「ｎ」時点でＤＲＸ  ｃｏｍｍａｎｄ  ＭＡＣ  ＣＥを受信したためＡｃｔｉｖｅ  Ｔｉｍｅを終了するが、ｓｕｂｆｒａｍｅ「ｎ−３」時点（ｎ−４ａｐｐｒｏａｃｈの判定処理前）でＳＲがトリガされており、ＳＲ送信後にＡｃｔｉｖｅ状態に遷移することが予定されているため、ＣＳＩ／ＳＲＳの送信処理を行うように制御する。同様に、基地局は、ｓｕｂｆｒａｍｅ「ｎ」時点の状態に基づき、４ｍｓ後（ｓｕｂｆｒａｍｅ「ｎ＋４」）にＣＳＩ／ＳＲＳの受信処理を行うか否かを判定する（Ｓ２４）。図２（ａ）の例では、基地局はｓｕｂｆｒａｍｅ「ｎ」時点ではＤＲＸ  ｃｏｍｍａｎｄ  ＭＡＣ  ＣＥを送信しているため、移動局の状態がＡｃｔｉｖｅ状態でないと判断し、ｓｕｂｆｒａｍｅ「ｎ＋４」時点で移動局からのＣＳＩ／ＳＲＳの送信を期待しないように制御される。次に、移動局からステップＳ２１におけるトリガに基づくＳＲが、基地局に送信される（Ｓ２５）。そして、移動局はステップＳ２３の判定処理に基づき、ＣＳＩ／ＳＲＳを基地局に送信する（Ｓ２６）。一方、基地局は、ステップＳ２４の判定処理に基づき、移動局からのＣＳＩ／ＳＲＳの送信を期待しないように制御されていたが、ｓｕｂｆｒａｍｅ「ｎ＋２」時点でＳＲを受信したため、移動局からのＣＳＩ／ＳＲＳの送信を期待すべきか否か不明である。すなわち、移動局と基地局とがＣＳＩ／ＳＲＳの送受信処理に対して期待した動作と異なる又はＣＳＩ／ＳＲＳ  ｒｅｐｏｒｔｉｎｇ処理の動作を特定できないため、ミスマッチが発生するという問題が起こり得る。
【００１０】
一方、図２（ｂ）には、ｎ−４ａｐｐｒｏａｃｈによるＣＳＩ／ＳＲＳ送信（受信）判定処理が行われた後、移動局においてＳＲがトリガされた場合の動作を示している。この場合、ｎ−４ａｐｐｒｏａｃｈの判定処理として、移動局は、ｓｕｂｆｒａｍｅ「ｎ」時点の状態に基づき、４ｍｓ後（ｓｕｂｆｒａｍｅ「ｎ＋４」）にＣＳＩ／ＳＲＳの送信処理を行う否かを判定する（Ｓ３２）。図２（ｂ）の例では、移動局はｓｕｂｆｒａｍｅ「ｎ」時点でＤＲＸ  ｃｏｍｍａｎｄ  ＭＡＣ  ＣＥを受信したためＡｃｔｉｖｅ  Ｔｉｍｅを終了し、ＣＳＩ／ＳＲＳの送信処理を行わないように制御する。その後、移動局においてＳＲがトリガされ（Ｓ３４）、ＳＲが送信される（Ｓ３５）。したがって、ｎ−４ａｐｐｒｏａｃｈによる判定処理が行われた時点（ｓｕｂｆｒａｍｅ「ｎ」）では、ＳＲ送信に基づくＡｃｔｉｖｅ状態への遷移が予定されていることを検出できないため、移動局からＣＳＩ／ＳＲＳは送信されない（Ｓ３６）。なお、基地局の動作は、図２（ａ）の場合と同様である。このため、図２（ａ）の場合と同様の問題が生じる場合がある。
【００１１】
本発明は上記の点に鑑みてなされたものであり、ＤＲＸ制御が適用された移動通信システムにおいて、品質情報であるＣＳＩ／ＳＲＳを送信する移動局及びＣＳＩ／ＳＲＳを期待する基地局の動作の不整合の発生を回避することを目的とする。
【課題を解決するための手段】
【００１２】
上記の課題を解決するために、本発明の移動局は、基地局と通信する移動局であって、間欠受信制御におけるアクティブ状態であるか否かを示す当該移動局の状態に基づき、所定の時間経過時に無線品質を示す品質情報を前記基地局に送信するか否かを判定する手段と、前記判定により前記品質情報を送信しないと判定された場合であっても、前記所定の時間経過前にＳｃｈｅｄｕｌｉｎｇ  Ｒｅｑｕｅｓｔが前記基地局に送信された場合、前記所定の時間経過時に前記品質情報を送信する手段とを有するように構成される。
【００１３】
また、本発明の移動局は、基地局と通信する移動局であって、間欠受信制御におけるアクティブ状態であるか否かを示す当該移動局の状態に基づき、所定の時間経過時に無線品質を示す品質情報を前記基地局に送信するか否かを判定する手段と、前記判定による判定結果に基づき、前記品質情報の送信を制御する手段とを有し、前記判定により前記品質情報を送信しないと判定された場合、当該移動局からＳｃｈｅｄｕｌｉｎｇ  Ｒｅｑｕｅｓｔが送信される場合であっても、前記品質情報を送信しないように構成され得る。
【００１４】
また、本発明の基地局は、移動局と通信する基地局であって、間欠受信制御におけるアクティブ状態であるか否かを示す前記移動局の状態に基づき、所定の時間経過時に前記移動局から送信される無線品質を示す品質情報を期待するか否かを判定する手段と、前記判定により前記品質情報を期待しないと判定された後、前記所定の時間経過前に前記移動局からのＳｃｈｅｄｕｌｉｎｇ  Ｒｅｑｕｅｓｔを受信した場合、前記Ｓｃｈｅｄｕｌｉｎｇ  Ｒｅｑｕｅｓｔの受信後に前記移動局から送信される最初の品質情報を期待しないように制御する制御手段とを有するように構成され得る。
【発明の効果】
【００１５】
本発明によれば、ＤＲＸ制御が適用された移動通信システムにおいて、移動局から基地局にＳｃｈｅｄｕｌｉｎｇ  Ｒｅｑｕｅｓｔが送信された場合であっても、品質情報であるＣＳＩ／ＳＲＳを送信する移動局及びＣＳＩ／ＳＲＳを期待する基地局の動作の不整合の発生を回避できる。
【図面の簡単な説明】
【００１６】
【図１】ＤＲＸ制御における移動局及び基地局の動作を示す図である。
【図２】ｎ−４ａｐｐｒｏａｃｈが適用されたＤＲＸ制御においてＳＲがトリガされた場合の移動局及び基地局の動作を示す図である。
【図３】本発明の実施の形態における移動通信システムの構成図である。
【図４】本発明の実施の形態における移動局ＵＥの機能構成図である。
【図５】本発明の実施の形態における基地局ｅＮＢの機能構成図である。
【図６】第１の実施の形態における制御内容を説明するための図である。
【図７】第１の実施の形態における移動局ＵＥの処理手順例を示すフローチャートである。
【図８】第２の実施の形態における制御内容を説明するための図である。
【図９】第２の実施の形態における移動局ＵＥの処理手順例を示すフローチャートである。
【図１０】第３の実施の形態における制御内容を説明するための図である。
【図１１】第３の実施の形態における基地局ｅＮＢの処理手順例を示すフローチャートである。
【発明を実施するための形態】
【００１７】
以下、図面を参照して本発明の実施の形態（以下、本発明の実施形態という。）を説明する。なお、以下で説明する実施形態は一例に過ぎず、本発明が適用される実施形態は、以下の実施形態に限られるわけではない。例えば、以下では移動通信システムの例としてＬＴＥを用いているが、本発明は、ＬＴＥに限らず適用可能である。
【００１８】
[システム構成]
図３は、本発明の実施形態における移動通信システムの構成図である。図３に示されるように、本発明の実施形態における移動通信システムは、ＬＴＥ方式の通信システムであり、基地局ｅＮＢと、移動局ＵＥとを有する。
【００１９】
基地局ｅＮＢは、移動局ＵＥに対して、ＰＤＣＣＨ、ＰＤＳＣＨ、Ｐ−ＨＩＣＨ（Ｐｈｙｓｉｃａｌ  ＨＡＲＱ  Ｉｎｄｉｃａｔｏｒ  Ｃｈａｎｎｅｌ）等を送信する。
【００２０】
また、移動局ＵＥは、基地局ｅＮＢに対して、ＰＵＳＣＨ（Ｐｈｙｓｉｃａｌ  Ｕｐｌｉｎｋ  Ｓｈａｒｅｄ  Ｃｈａｎｎｅｌ）、ＰＵＣＣＨ、ＰＲＡＣＨ（Ｐｈｙｓｉｃａｌ  Ｒａｎｄｏｍ  Ａｃｃｅｓｓ  Ｃｈａｎｎｅｌ）を送信する。
【００２１】
ここで、基地局ｅＮＢは、移動局ＵＥに対して、ＰＤＳＣＨにマッピングされているＤＬ−ＳＣＨを介して、下りリンク情報（例えば、下りユーザデータ等）を送信し、移動局ＵＥは、基地局ｅＮＢに対して、ＰＵＳＣＨにマッピングされているＵＬ−ＳＣＨを介して、上りリンク情報（例えば、上りユーザデータ等）を送信する。
【００２２】
また、移動局ＵＥは、基地局ｅＮＢに対して、３ＧＰＰに規定されている「Ｓｃｈｅｄｕｌｉｎｇ  Ｒｅｑｕｅｓｔ（ＳＲ）」等の制御情報を送信する。
【００２３】
[機能構成]
＜移動局ＵＥ＞
図４は、本発明の実施形態における移動局ＵＥの機能構成図である。図４に示すように、移動局ＵＥは、ＤＲＸ状態管理部１１、ＣＳＩ／ＳＲＳリソース管理部１２、ＤＬ信号受信部１３及びＵＬ信号送信部１４を有する。なお、図４は、移動局ＵＥにおいて本発明に特に関連する機能部のみを示すものであり、少なくともＬＴＥ方式に準拠した動作を行うための図示しない機能も有するものである。
【００２４】
ＤＲＸ状態管理部１１は、ＤＲＸ制御において、移動局ＵＥがＤＲＸ（間欠受信）状態であるか否かを管理する。また、ＤＲＸ状態管理部１１は、ＤＲＸ状態に遷移した移動局ＵＥのＲＲＣ  ＣｏｎｎｅｃｔｅｄをＡｃｔｉｖｅ（アクティブ）状態又はＩｎａｃｔｉｖｅ状態として管理する。
【００２５】
なお、ＤＲＸ状態管理部１１は、以下の（１）〜（４）の場合、移動局ＵＥをＡｃｔｉｖｅ状態として管理する。
【００２６】
（１）Ｏｎ  ｄｕｒａｔｉｏｎ  Ｔｉｍｅｒ、ｄｒｘ−ＩｎａｃｔｉｖｉｔｙＴｉｍｅｒ、ｄｒｘ−ＲｅｔｒａｎｓｍｉｓｓｉｏｎＴｉｍｅｒ、ｍａｃ−ｃｏｎｔｅｎｓｉｏｎＲｅｓｏｌｕｔｉｏｎＴｉｍｅｒの何れかが起動している場合
（２）Ｓｃｈｅｄｕｌｉｎｇ  Ｒｅｑｕｅｓｔ（ＳＲ）を送信した場合
（３）ＵＬ  ＨＡＲＱ再送のためのＵＬ  ｇｒａｎｔが割り当てられる場合
（４）Ｒａｎｄｏｍ  Ａｃｃｅｓｓ  Ｒｅｓｐｏｎｓｅを受信し、その後、新規送信を指示するＰＤＣＣＨを受信していない場合
さらに、ＤＲＸ状態管理部１１は、ＤＲＸ状態において、現時点（例えばｓｕｂｆｒａｍｅ「ｎ」）から所定の時間経過時(ｓｕｂｆｒａｍｅ「ｎ＋４」)に無線品質を示す品質情報であるＣＳＩ又はＳＲＳ（ＣＳＩ／ＳＲＳ）を送信するか否かを、ｎ−４ａｐｐｒｏａｃｈの判定処理に基づき決定する。なお、ｎ−４ａｐｐｒｏａｃｈの判定処理において、当該移動局ＵＥがＡｃｔｉｖｅ状態であるか否か（Ａｃｔｉｖｅ状態判定）は、上記（１）〜（４）の判定指標に基づき判定される。なお、ｎ−４ａｐｐｒｏａｃｈの判定処理での当該移動局ＵＥのＡｃｔｉｖｅ状態判定において、上記（２）には、実際にＳＲを送信した場合と、ＳＲがトリガされた場合（ＳＲがトリガされてからＳＲが送信されるまで）とが含まれる。但し、後述する第２の実施形態におけるｎ−４ａｐｐｒｏａｃｈの判定処理のＡｃｔｉｖｅ状態判定に用いられる判定指標は、上記（２）を除外したものである。
【００２７】
ＣＳＩ／ＳＲＳリソース管理部１２は、ＰＵＣＣＨ用リソースからＣＳＩ／ＳＲＳ送信用リソースを割り当てる。
【００２８】
ＤＬ信号受信部１３は、基地局ｅＮＢによってＤＬ−ＳＣＨを介して送信されたＤＲＸ  ｃｏｍｍａｎｄ  ＭＡＣ  ＣＥ等を受信する。そして、ＤＬ信号受信部１３は、受信したＤＲＸ  ｃｏｍｍａｎｄ  ＭＡＣ  ＣＥを、ＤＲＸ状態管理部１１に出力する。
【００２９】
ＵＬ信号送信部１４は、基地局ｅＮＢに対して、ＰＵＣＣＨを介してＳＲ及びＣＳＩ／ＳＲＳ等を送信する。
【００３０】
なお、ＤＬ信号受信部１３及びＵＬ信号送信部１４は、上記以外の制御データ（Ｃ−ｐｌａｎｅデータ）及びユーザデータ（Ｕ−Ｐｌａｎｅデータ）の送受信処理を行う。
【００３１】
＜基地局ｅＮＢ＞
図５は、本発明の実施形態における基地局ｅＮＢの機能構成図である。図５に示すように、基地局ｅＮＢは、ＤＲＸ状態管理部２１、ＣＳＩ／ＳＲＳリソース管理部２２、ＵＬ信号受信部２３及びＤＬ信号送信部２４を有する。なお、図５は、基地局ｅＮＢにおいて本発明に特に関連する機能部のみを示すものであり、少なくともＬＴＥ方式に準拠した動作を行うための図示しない機能も有するものである。
【００３２】
ＤＲＸ状態管理部２１は、ＤＲＸ制御において、当該基地局ｅＮＢ配下の移動局ＵＥがＤＲＸ状態であるか否かについて管理する。具体的には、ＤＲＸ状態管理部２１は、移動局ＵＥをＩｎａｃｔｉｖｅ状態に遷移させるＤＲＸ  ｃｏｍｍａｎｄ  ＭＡＣ  ＣＥの送信や移動局ＵＥから送信されたＳＲの受信等に基づき、送信先の移動局ＵＥをＡｃｔｉｖｅ／Ｉｎａｃｔｉｖｅ状態として管理する。
【００３３】
さらに、ＤＲＸ状態管理部１１は、移動局ＵＥからのＣＳＩ／ＳＲＳの送信を期待するか否か、すなわちＣＳＩ／ＳＲＳの受信処理を試みるか否かを、ｎ−４ａｐｐｒｏａｃｈの判定処理に基づき決定する。
【００３４】
ＣＳＩ／ＳＲＳリソース管理部２２は、ＰＵＣＣＨ用リソースからＣＳＩ／ＳＲＳ受信用リソースを割り当てる。
【００３５】
ＵＬ信号受信部２３は、移動局ＵＥによってＰＵＣＣＨを介して送信されたＳＲ及びＣＳＩ／ＳＲＳ等を受信する。
【００３６】
ＤＬ信号送信部２４は、基地局ｅＮＢに対して、ＤＬ−ＳＣＨを介してＤＲＸ  ｃｏｍｍａｎｄ  ＭＡＣ  ＣＥ等を送信する。ＤＬ信号送信部２４は、スケジューラ機能を含む。
【００３７】
なお、ＵＬ信号受信部２３及びＤＬ信号送信部２４は、上記以外の制御データ及びユーザデータの送受信処理を行う。
【００３８】
[処理内容]
本発明の実施形態では、３つのＤＲＸ制御におけるＣＳＩ／ＳＲＳに関する制御方法を提案する。以下、３つの制御方法をそれぞれ、第１〜第３の実施形態として説明する。
【００３９】
〔第１の実施形態〕
第１の実施形態では、移動局ＵＥにおけるｎ−４ａｐｐｒｏａｃｈの判定処理により「ＣＳＩ／ＳＲＳを送信しない」と判定された場合であっても、その判定処理後ＳＲが送信された場合、移動局ＵＥはＣＳＩ／ＳＲＳを送信するように制御する。すなわち、移動局ＵＥは、ｎ−４ａｐｐｒｏａｃｈによる判定結果によらず、ＳＲが送信された場合、ＣＳＩ／ＳＲＳを送信する。一方、基地局ｅＮＢは、移動局ＵＥからのＳＲを受信した後に当該移動局ＵＥからの「ＣＳＩ／ＳＲＳを常に期待する（受信処理を試みる）」ように制御する。
【００４０】
図６を参照し、第１の実施形態における具体的な制御内容を説明する。図６（ａ）には、移動局ＵＥにおけるｎ−４ａｐｐｒｏａｃｈによる判定処理が行われる前にＳＲがトリガされた場合の制御内容を示している。図６（ｂ）には、移動局ＵＥにおけるｎ−４ａｐｐｒｏａｃｈによる判定処理が行われた後にＳＲがトリガされる場合の制御内容を示している。
【００４１】
＜ｎ−４ａｐｐｒｏａｃｈ判定前にＳＲがトリガされた場合（図６（ａ））＞
図６（ａ）において、まず移動局ＵＥにおいてＳＲがトリガされる（Ｓ１０１）。
【００４２】
次に、基地局ｅＮＢのＤＲＸ状態管理部２１は、移動局ＵＥのＤＲＸ状態をＩｎａｃｔｉｖｅ状態に遷移させるためＤＲＸ  ｃｏｍｍａｎｄ  ＭＡＣ  ＣＥを生成し、生成したＤＲＸ  ｃｏｍｍａｎｄ  ＭＡＣ  ＣＥを、ＤＬ信号送信部２４を介して対象の移動局ＵＥに送信する（Ｓ１０２）。
【００４３】
次に、移動局ＵＥのＤＬ信号受信部１３が、基地局ｅＮＢから送信されたＤＲＸ  ｃｏｍｍａｎｄ  ＭＡＣ  ＣＥを受信すると、受信したＤＲＸ  ｃｏｍｍａｎｄ  ＭＡＣ  ＣＥをＤＲＸ状態管理部１１に出力する。ＤＲＸ状態管理部１１は、ｓｕｂｆｒａｍｅ「ｎ」時点での状態（Ａｃｔｉｖｅ／Ｉｎａｃｔｉｖｅ状態）に基づき、ｓｕｂｆｒａｍｅ「ｎ＋４」でのＣＳＩ／ＳＲＳの送信を行うか否かを決定するためのｎ−４ａｐｐｒｏａｃｈの判定処理を行う（Ｓ１０３）。具体的には、ＤＲＸ状態管理部１１は、ｓｕｂｆｒａｍｅ「ｎ」時点でＤＲＸ  ｃｏｍｍａｎｄ  ＭＡＣ  ＣＥを受信したためＡｃｔｉｖｅ  Ｔｉｍｅを終了するが、ｓｕｂｆｒａｍｅ「ｎ−３」時点（ｎ−４ａｐｐｒｏａｃｈの判定処理前）でＳＲがトリガされているため、「ＣＳＩ／ＳＲＳを送信する」と判定する。なお、ＤＲＸ状態管理部１１によるｎ−４ａｐｐｒｏａｃｈの判定処理は、各ｓｕｂｆｒａｍｅにおいて実行される。
【００４４】
同様に、基地局ｅＮＢのＤＲＸ状態管理部２１は、ｎ−４ａｐｐｒｏａｃｈの判定処理を行う（Ｓ１０４）。具体的には、ＤＲＸ状態管理部２１は、ステップＳ１０２においてＤＲＸ  ｃｏｍｍａｎｄ  ＭＡＣ  ＣＥを送信しているため、移動局ＵＥの状態がＡｃｔｉｖｅ状態でないと判断し、ｓｕｂｆｒａｍｅ「ｎ＋４」時点で移動局ＵＥからの「ＣＳＩ／ＳＲＳを期待しない」と判定する。
【００４５】
次に、移動局ＵＥのＵＬ信号送信部１４は、ステップＳ１０１におけるトリガに基づくＳＲを、基地局ｅＮＢに送信し（Ｓ１０５）、ＳＲの送信処理を実行したことをＤＲＸ状態管理部１１に通知する。また、基地局ｅＮＢのＵＬ信号受信部２３は、移動局ＵＥから送信されたＳＲを受信し、ＤＲＸ状態管理部２１にＳＲを受信したことを通知する。
【００４６】
そして、移動局ＵＥのＣＳＩ／ＳＲＳ管理部１２は、ステップＳ１０３において行われた判定の結果（「ＣＳＩ／ＳＲＳを送信する」）に基づき、ＣＳＩ／ＳＲＳリソース管理部１２を制御し、ＣＳＩ／ＳＲＳを基地局ｅＮＢに送信する（Ｓ１０６）。
【００４７】
一方、基地局ｅＮＢのＤＲＸ状態管理部２１は、ステップＳ１０４において移動局ＵＥからの「ＣＳＩ／ＳＲＳを期待しない」と判定したが、事前にＳＲを受信した場合は、「常にＳＲ受信後のＣＳＩ／ＳＲＳを期待する」ように、ＣＳＩ／ＳＲＳリソース管理部２２を制御する（Ｓ１０７）。
【００４８】
したがって、移動局ＵＥと基地局ｅＮＢとのＣＳＩ／ＳＲＳの処理に関するミスマッチは発生しない。
【００４９】
＜ｎ−４ａｐｐｒｏａｃｈ判定後にＳＲがトリガされた場合（図６（ｂ））＞
図６（ｂ）において、基地局ｅＮＢのＤＲＸ状態管理部２１は、ＤＲＸ  ｃｏｍｍａｎｄ  ＭＡＣ  ＣＥを生成し、生成したＤＲＸ  ｃｏｍｍａｎｄ  ＭＡＣ  ＣＥを、ＤＬ信号送信部２４を介して対象の移動局ＵＥに送信する（Ｓ１１１）。
【００５０】
次に、移動局ＵＥのＤＬ信号受信部１３が、基地局ｅＮＢから送信されたＤＲＸ  ｃｏｍｍａｎｄ  ＭＡＣ  ＣＥを受信すると、受信したＤＲＸ  ｃｏｍｍａｎｄ  ＭＡＣ  ＣＥをＤＲＸ状態管理部１１に出力する。ＤＲＸ状態管理部１１は、ｎ−４ａｐｐｒｏａｃｈの判定処理を行う（Ｓ１１２）。具体的には、ＤＲＸ状態管理部１１は、ｓｕｂｆｒａｍｅ「ｎ」時点でのＤＲＸ  ｃｏｍｍａｎｄ  ＭＡＣ  ＣＥの受信によりＡｃｔｉｖｅ状態ではないため、ｓｕｂｆｒａｍｅ「ｎ＋４」時点で「ＣＳＩ／ＳＲＳを送信しない」と判定する。
【００５１】
同様に、基地局ｅＮＢのＤＲＸ状態管理部２１は、ｎ−４ａｐｐｒｏａｃｈの判定処理を行う（Ｓ１１３）。具体的には、ＤＲＸ状態管理部２１は、ステップＳ１０１においてＤＲＸ  ｃｏｍｍａｎｄ  ＭＡＣ  ＣＥを送信しているため、移動局ＵＥの状態がＡｃｔｉｖｅ状態でないと判断し、ｓｕｂｆｒａｍｅ「ｎ＋４」時点で移動局ＵＥからの「ＣＳＩ／ＳＲＳを期待しない」と判定する。
【００５２】
ここで、移動局ＵＥにおいてＳＲがトリガされ（Ｓ１１４）、トリガに基づくＳＲがＵＬ信号送信部１４により基地局ｅＮＢに対して送信される（Ｓ１１５）。ＵＬ信号送信部１４は、ＳＲの送信処理を実行したことをＤＲＸ状態管理部１１に通知する。また、基地局ｅＮＢのＵＬ信号受信部２３は、移動局ＵＥから送信されたＳＲを受信し、ＤＲＸ状態管理部２１にＳＲを受信したことを通知する。
【００５３】
そして、移動局ＵＥのＤＲＸ状態管理部１１は、ステップＳ１１２において「ＣＳＩ／ＳＲＳを送信しない」と判定されたが、ステップＳ１１５においてＳＲが送信されたため「ＣＳＩ／ＳＲＳの送信を行う」ように、ＣＳＩ／ＳＲＳリソース管理部１２を制御する（Ｓ１１６）。
【００５４】
一方、基地局ｅＮＢのＤＲＸ状態管理部２１は、ステップＳ１１３において移動局ＵＥからの「ＣＳＩ／ＳＲＳを期待しない」と判定したが、事前にＳＲを受信した場合は、「常にＳＲ受信後のＣＳＩ／ＳＲＳを期待する」ように、ＣＳＩ／ＳＲＳリソース管理部２２を制御する（Ｓ１１７）。
【００５５】
したがって、移動局ＵＥと基地局ｅＮＢとのＣＳＩ／ＳＲＳの処理に関するミスマッチは発生しない。
【００５６】
＜フローチャート（移動局ＵＥの処理手順）＞
次に、図７に示すフローチャート図に基づき、第１の実施形態における移動局ＵＥの処理手順例を説明する。なお、図７は、１ｓｕｂｆｒａｍｅ当たりの処理手順を示したフローチャート図であり、例えばｓｕｂｆｒａｍｅ「ｎ＋４」時点における処理として説明する。
【００５７】
まず移動局ＵＥのＤＲＸ状態管理部１１は、ｓｕｂｆｒａｍｅ「ｎ」時点で行われたｎ−４ａｐｐｒｏａｃｈによる判定結果がｓｕｂｆｒａｍｅ「ｎ＋４」時点で「ＣＳＩ／ＳＲＳを送信しない」であるか否かが判定される（Ｓ２０１）。
【００５８】
ここで、ｓｕｂｆｒａｍｅ「ｎ＋４」時点で「ＣＳＩ／ＳＲＳを送信しない」と判定された場合（ステップＳ２０１においてＹＥＳ）、ｎ−４ａｐｐｒｏａｃｈの判定処理が行われたｓｕｂｆｒａｍｅ「ｎ」からｓｕｂｆｒａｍｅ「ｎ＋４」までの間に、ＳＲの送信が行われたか否かを判定する（Ｓ２０２）。
【００５９】
ｎ−４ａｐｐｒｏａｃｈの判定処理後にＳＲの送信が行われたと判定された場合（ステップＳ２０２においてＹＥＳ）又はｓｕｂｆｒａｍｅ「ｎ＋４」時点で「ＣＳＩ／ＳＲＳを送信しない」と判定されなかった場合（ステップＳ２０１においてＮＯ）、ＤＲＸ状態管理部１１は、ＣＳＩ／ＳＲＳリソース管理部１２を制御し、ＣＳＩ／ＳＲＳを基地局ｅＮＢに送信する（Ｓ２０３）。
【００６０】
一方、ｎ−４ａｐｐｒｏａｃｈの判定処理後にＳＲの送信が行われなかったと判定された場合（ステップＳ２０２においてＮＯ）、ＣＳＩ／ＳＲＳは送信されない。
【００６１】
上述したように、第１の実施形態によれば、ＳＲのトリガとｎ−４ａｐｐｒｏａｃｈの判定処理とのタイミング（順序性）によらず、移動局ＵＥからＳＲが送信された場合（基地局ｅＮＢによりＳＲが受信された場合）、移動局ＵＥはＣＳＩ／ＳＲＳの送信を行い、基地局ｅＮＢは移動局ＵＥからのＣＳＩ／ＳＲＳの送信を期待するように制御される。したがって、移動局ＵＥ及び基地局ｅＮＢのＣＳＩ／ＳＲＳの処理のミスマッチ発生を回避できる。
【００６２】
〔第２の実施形態〕
第２の実施形態では、移動局ＵＥにおけるｎ−４ａｐｐｒｏａｃｈの判定処理により「ＣＳＩ／ＳＲＳを送信しない」と判定された後、移動局ＵＥからＳＲが送信された場合であっても、移動局ＵＥはＣＳＩ／ＳＲＳを送信しないように制御する。第２の実施形態における制御を実現するため、移動局ＵＥによるｎ−４ａｐｐｒｏａｃｈの判定処理における当該移動局ＵＥのＡｃｔｉｖｅ状態判定に用いられる判定指標のうち上記（２）（「ＳＲを送信した場合」）を除外する。一方、基地局ｅＮＢは、ｎ−４ａｐｐｒｏａｃｈの判定処理により移動局ＵＥからの「ＣＳＩ／ＳＲＳを期待しない」と判定された後、移動局ＵＥからのＳＲを受信した場合であっても、「ＣＳＩ／ＳＲＳを期待しない（受信処理を試みない）」ように制御する。
【００６３】
図８を参照し、第２の実施形態における具体的な制御内容を説明する。図８（ａ）には、移動局ＵＥにおけるｎ−４ａｐｐｒｏａｃｈによる判定処理が行われる前にＳＲがトリガされた場合の制御内容を示している。図８（ｂ）には、移動局ＵＥにおけるｎ−４ａｐｐｒｏａｃｈによる判定処理が行われた後にＳＲがトリガされる場合の制御内容を示している。なお、図８において図６に示した処理と同一の処理には、同一のステップ番号を付与しており、これらの詳細な説明は省略する。
【００６４】
＜ｎ−４ａｐｐｒｏａｃｈ判定前にＳＲがトリガされた場合（図８（ａ））＞
図８（ａ）において、ｓｕｂｆｒａｍｅ「ｎ」で移動局ＵＥのＤＲＸ状態管理部１１は、ｎ−４ａｐｐｒｏａｃｈの判定処理を行う（Ｓ１０３ａ）。ここで、第２の実施形態では、ｎ−４ａｐｐｒｏａｃｈにおける当該移動局ＵＥのＡｃｔｉｖｅ状態判定に用いられる判定指標から「ＳＲを送信した場合（ＳＲをトリガし、ＳＲが送信されるまでの状態を含む）」（上記（２））が除外される。具体的には、ＤＲＸ状態管理部１１は、ステップＳ１０１においてＳＲがトリガされているが、ｎ−４ａｐｐｒｏａｃｈにおけるＡｃｔｉｖｅ状態判定の判定指標から「ＳＲを送信した場合（ＳＲをトリガし、ＳＲが送信されるまでの状態を含む）」が除外されているため、「ＣＳＩ／ＳＲＳを送信しない」と判定する。
【００６５】
そして、移動局ＵＥのＣＳＩ／ＳＲＳ管理部１２は、ステップＳ１０３ａにおいて行われた判定の結果（「ＣＳＩ／ＳＲＳを送信しない」）に基づき、ＣＳＩ／ＳＲＳリソース管理部１２を制御し、ＣＳＩ／ＳＲＳを送信しない（Ｓ１０６ａ）。
【００６６】
一方、基地局ｅＮＢのＤＲＸ状態管理部２１は、通常のｎ−４ａｐｐｒｏａｃｈによる判定結果である「ＣＳＩ／ＳＲＳを期待しない」ように、ＣＳＩ／ＳＲＳリソース管理部２２を制御する（Ｓ１０７ａ）。
【００６７】
したがって、移動局ＵＥと基地局ｅＮＢとのＣＳＩ／ＳＲＳの処理に関するミスマッチは発生しない。
【００６８】
＜ｎ−４ａｐｐｒｏａｃｈ判定後にＳＲがトリガされた場合（図８（ｂ））＞
図８（ｂ）において、ｓｕｂｆｒａｍｅ「ｎ」で移動局ＵＥのＤＲＸ状態管理部１１は、ｎ−４ａｐｐｒｏａｃｈの判定処理（Ａｃｔｉｖｅ状態の判定指標から「ＳＲを送信した場合（ＳＲをトリガし、ＳＲが送信されるまでの状態を含む）」を除外）を行う（Ｓ１１２ａ）。具体的には、ＤＲＸ状態管理部１１は、ｓｕｂｆｒａｍｅ「ｎ」時点でのＤＲＸ  ｃｏｍｍａｎｄ  ＭＡＣ  ＣＥの受信によりＡｃｔｉｖｅ状態ではないため、ｓｕｂｆｒａｍｅ「ｎ＋４」時点で「ＣＳＩ／ＳＲＳを送信しない」と判定する。
【００６９】
そして、移動局ＵＥのＤＲＸ状態管理部１１は、ステップＳ１１２ａにおいて判定された「ＣＳＩ／ＳＲＳを送信しない」との結果に基づき、「ＣＳＩ／ＳＲＳを送信しない」ように、ＣＳＩ／ＳＲＳリソース管理部１２を制御する（Ｓ１１６ａ）。
【００７０】
一方、基地局ｅＮＢのＤＲＸ状態管理部２１は、通常のｎ−４ａｐｐｒｏａｃｈによる判定結果である「ＣＳＩ／ＳＲＳを期待しない」ように、ＣＳＩ／ＳＲＳリソース管理部２２を制御する（Ｓ１１７ａ）。
【００７１】
したがって、移動局ＵＥと基地局ｅＮＢとのＣＳＩ／ＳＲＳの処理に関するミスマッチは発生しない。
【００７２】
＜フローチャート（移動局ＵＥの処理手順）＞
次に、図９に示すフローチャート図に基づき、第２の実施形態における移動局ＵＥの処理手順例を説明する。なお、図９は、１ｓｕｂｆｒａｍｅ当たりの処理手順を示したフローチャート図であり、例えばｓｕｂｆｒａｍｅ「ｎ＋４」時点における処理として説明する。
【００７３】
まず移動局ＵＥのＤＲＸ状態管理部１１は、ｓｕｂｆｒａｍｅ「ｎ」時点で行われたｎ−４ａｐｐｒｏａｃｈの判定処理（Ａｃｔｉｖｅ状態の判定指標から「ＳＲを送信した場合（ＳＲをトリガし、ＳＲが送信されるまでの状態を含む）」を除外）の結果が、ｓｕｂｆｒａｍｅ「ｎ＋４」時点で「ＣＳＩ／ＳＲＳを送信しない」であるか否かが判定される（Ｓ３０１）。
【００７４】
ここで、ｓｕｂｆｒａｍｅ「ｎ＋４」時点で「ＣＳＩ／ＳＲＳを送信しない」と判定されなかった場合（ステップＳ３０１においてＮＯ）、すなわち「ＣＳＩ／ＳＲＳを送信する」と判定された場合、ＤＲＸ状態管理部１１は、ＣＳＩ／ＳＲＳリソース管理部１２を制御し、ＣＳＩ／ＳＲＳを基地局ｅＮＢに送信する（Ｓ３０２）。
【００７５】
一方、ｓｕｂｆｒａｍｅ「ｎ＋４」時点で「ＣＳＩ／ＳＲＳを送信しない」と判定された場合（ステップＳ３０１においてＹＥＳ）、ＣＳＩ／ＳＲＳは送信されない。
【００７６】
上述したように、第２の実施形態によれば、移動局ＵＥでのｎ−４ａｐｐｒｏａｃｈの判定処理におけるＡｃｔｉｖｅ判定指標から「ＳＲを送信した場合（ＳＲをトリガし、ＳＲが送信されるまでの状態を含む）」を除外することで、ＳＲのトリガとｎ−４ａｐｐｒｏａｃｈの判定処理とのタイミング（順序性）によらず、移動局ＵＥ及び基地局ｅＮＢのＣＳＩ／ＳＲＳの処理のミスマッチ発生を回避できる。
【００７７】
〔第３の実施形態〕
第３の実施形態では、基地局ｅＮＢにおけるｎ−４ａｐｐｒｏａｃｈの判定処理により移動局ＵＥからの「ＣＳＩ／ＳＲＳを期待しない」との判定後、ＳＲを受信した場合であっても、基地局ｅＮＢはＳＲ受信後に当該移動局ＵＥから送信される最初のＣＳＩ／ＳＲＳに対する受信を試みない（無視する）ように制御する。ここで、ＳＲ受信後に移動局ＵＥから送信される最初のＣＳＩ／ＳＲＳとは、基地局ｅＮＢがＳＲ受信後、初回又は所定の時間（例えば20ms）が経過するまでに基地局ｅＮＢに到達したＣＳＩ／ＳＲＳである。また、第３の実施形態における「ＣＳＩ／ＳＲＳに対する受信を試みない（無視する）制御」とは、例えば、当該移動局ＵＥからのＣＳＩ／ＳＲＳが基地局ｅＮＢに到達した場合、他の移動局ＵＥに影響を与えないようにするため、他の移動局ＵＥにリソースを割り当てない等のスケジューリングを行う制御である。例えば、当該移動局ＵＥがＣＳＩ／ＳＲＳの送信に用いる（時間的、周波数的）ＵＬリソースに対して、他移動局ＵＥのＵＬ送信に用いるＵＬリソースが衝突しないように、ＵＬリソースの割り当てを行う。一方、移動局ＵＥは、ＳＲ送信後のＣＳＩ／ＳＲＳを送信するか否かは任意である。
【００７８】
図１０を参照し、第３の実施形態における具体的な制御内容を説明する。図１０（ａ）には、移動局ＵＥにおけるｎ−４ａｐｐｒｏａｃｈによる判定処理が行われる前にＳＲがトリガされた場合の制御内容を示している。図１０（ｂ）には、移動局ＵＥにおけるｎ−４ａｐｐｒｏａｃｈによる判定処理が行われた後にＳＲがトリガされる場合の制御内容を示している。なお、図１０において図６に示した処理と同一の処理には、同一のステップ番号を付与しており、これらの詳細な説明は省略する。
【００７９】
＜ｎ−４ａｐｐｒｏａｃｈ判定前にＳＲがトリガされた場合（図１０（ａ））＞
図１０（ａ）において、移動局ＵＥのＣＳＩ／ＳＲＳ管理部１２は、ステップＳ１０３ａにおいて行われた判定の結果（「ＣＳＩ／ＳＲＳを送信する」）に基づき、ＣＳＩ／ＳＲＳリソース管理部１２を制御し、ＣＳＩ／ＳＲＳを基地局ｅＮＢに送信する（Ｓ１０６ｂ）。なお、上述したように、ＳＲの送信又はＳＲのトリガが行われた場合のＣＳＩ／ＳＲＳの送信処理の制御（送信するか否か）は任意である。
【００８０】
一方、基地局ｅＮＢのＤＲＸ状態管理部２１は、ステップＳ１０４において移動局ＵＥからの「ＣＳＩ／ＳＲＳを期待しない」と判定した後に、ＳＲを受信したため、ＳＲ受信後に当該移動局ＵＥから送信される最初のＣＳＩ／ＳＲＳを無視し、他の移動局ＵＥに影響を与えないようなスケジューリングをするようにＣＳＩ／ＳＲＳリソース管理部２２を制御する（Ｓ１０７ｂ）。
【００８１】
この場合、移動局ＵＥと基地局ｅＮＢとのＣＳＩ／ＳＲＳの処理に関するミスマッチは発生するが、基地局ｅＮＢによるＣＳＩ／ＳＲＳに関するスケジューリング制御により、他の移動局ＵＥに影響がないように制御できる。
【００８２】
＜ｎ−４ａｐｐｒｏａｃｈ判定後にＳＲがトリガされた場合（図１０（ｂ））＞
図１０（ｂ）において、移動局ＵＥのＤＲＸ状態管理部１１は、ステップＳ１１２において判定された「ＣＳＩ／ＳＲＳを送信しない」との結果に基づき、「ＣＳＩ／ＳＲＳを送信しない」ように、ＣＳＩ／ＳＲＳリソース管理部１２を制御する（Ｓ１１６ｂ）。
【００８３】
一方、基地局ｅＮＢのＤＲＸ状態管理部２１は、ステップＳ１１３において移動局ＵＥからの「ＣＳＩ／ＳＲＳを期待しない」と判定した後に、ＳＲを受信したため、ＳＲ受信後に当該移動局ＵＥから送信される最初のＣＳＩ／ＳＲＳを無視するように、ＣＳＩ／ＳＲＳリソース管理部２２を制御する（Ｓ１１７ｂ）。この場合、ＤＲＸ状態管理部１１は、移動局ＵＥからの次（２回目又は所定の時間経過後）のＣＳＩ／ＳＲＳを期待するように、ＣＳＩ／ＳＲＳリソース管理部２２を制御する。
【００８４】
したがって、移動局ＵＥと基地局ｅＮＢとのＣＳＩ／ＳＲＳの処理に関するミスマッチは発生しない。
【００８５】
＜フローチャート（基地局ｅＮＢの処理手順）＞
次に、図１１に示すフローチャート図に基づき、第３の実施形態における基地局ｅＮＢの処理手順例を説明する。なお、図１１は、１ｓｕｂｆｒａｍｅ当たりの処理手順を示したフローチャート図であり、例えばｓｕｂｆｒａｍｅ「ｎ＋４」時点における処理として説明する。
【００８６】
まず基地局ｅＮＢのＤＲＸ状態管理部２１は、ｓｕｂｆｒａｍｅ「ｎ」時点で行われたｎ−４ａｐｐｒｏａｃｈによる判定結果がｓｕｂｆｒａｍｅ「ｎ＋４」時点で移動局ＵＥからの「ＣＳＩ／ＳＲＳを期待しない」であるか否かが判定される（Ｓ４０１）。
【００８７】
ここで、ｓｕｂｆｒａｍｅ「ｎ＋４」時点で「ＣＳＩ／ＳＲＳを期待しない」と判定された場合（ステップＳ４０１においてＹＥＳ）、ｎ−４ａｐｐｒｏａｃｈの判定処理が行われたｓｕｂｆｒａｍｅ「ｎ」からｓｕｂｆｒａｍｅ「ｎ＋４」までの間に、ＳＲの受信が行われたか否かを判定する（Ｓ４０２）。
【００８８】
ｎ−４ａｐｐｒｏａｃｈの判定処理後にＳＲの受信が行われたと判定された場合（ステップＳ４０２においてＹＥＳ）、ＤＲＸ状態管理部２１は、ＣＳＩ／ＳＲＳリソース管理部２２を制御し、ＳＲ受信後に当該移動局ＵＥから送信される最初のＣＳＩ／ＳＲＳを無視し、他の移動局ＵＥに影響を与えないようにスケジューリングを行う（Ｓ４０３）。
【００８９】
一方、ｓｕｂｆｒａｍｅ「ｎ＋４」時点で「ＣＳＩ／ＳＲＳを期待しない」と判定されなかった場合（ステップＳ４０１においてＮＯ）又はｎ−４ａｐｐｒｏａｃｈの判定処理後にＳＲの受信が行われなかったと判定された場合（ステップＳ４０２においてＮＯ）、ＤＲＸ状態管理部２１は、ＣＳＩ／ＳＲＳリソース管理部１２に、ｎ−４ａｐｐｒｏａｃｈによる判定結果に基づく制御を行わせる。
【００９０】
上述したように、第３の実施形態によれば、基地局ｅＮＢでのｎ−４ａｐｐｒｏａｃｈにより「ＣＳＩ／ＳＲＳを期待しない」と判定された後、基地局ｅＮＢがＳＲを受信した場合、ＳＲ受信後の最初のＣＳＩ／ＳＲＳを無視し、他の移動局ＵＥに影響を与えないように制御することで、移動局ＵＥと基地局ｅＮＢとのＣＳＩ／ＳＲＳの処理に関するミスマッチ発生による影響を抑止できる。
【００９１】
また、第３の実施形態によれば、基地局ｅＮＢによる制御内容を変更することでミスマッチ発生の影響を抑止できるため、例えば一般に基地局ｅＮＢより台数や機種が多い移動局ＵＥの制御内容を変更する場合より実装が容易である。
【００９２】
なお、上述した第１〜第３の実施形態において、移動局ＵＥと基地局ｅＮＢとのＣＳＩ／ＳＲＳに関する処理のミスマッチが発生し得る場合の一例として、移動局ＵＥのＡｃｔｉｖｅ状態を突然終了させるための契機であるＤＲＸ  ｃｏｍｍａｎｄ  ＭＡＣ  ＣＥの移動局ＵＥでの受信を示した（図６、図８、図１０）が、例えばＡｃｔｉｖｅ  Ｔｉｍｅが突然延長された場合についてもＣＳＩ／ＳＲＳを送信できないことによるミスマッチが発生し得る。そして、本発明は、Ａｃｔｉｖｅ  Ｔｉｍｅが突然終了した場合に限らず、延長された場合においても適用可能であり、移動局ＵＥと基地局ｅＮＢとのＣＳＩ／ＳＲＳに関する処理のミスマッチを回避できる。
【００９３】
なお、本発明の実施形態において、移動局ＵＥから基地局ｅＮＢに送信されるＳｃｈｅｄｕｌｉｎｇ  Ｒｅｑｕｅｓｔは、制御信号の一例であり、Ｓｃｈｅｄｕｌｉｎｇ  Ｒｅｑｕｅｓｔ以外の制御信号が送信される場合においても、本発明を適用できる。
【００９４】
以上、本発明の実施形態について詳述したが、本発明はかかる特定の実施形態に限定されるものではなく、特許請求の範囲に記載された本発明の要旨の範囲内において、種々の変形、変更が可能である。
【符号の説明】
【００９５】
ｅＮＢ  基地局
ＵＥ    移動局
１１    ＤＲＸ状態管理部
１２    ＣＳＩ／ＳＲＳリソース管理部
１３    ＤＬ信号受信部
１４    ＵＬ信号送信部
２１    ＤＲＸ状態管理部
２２    ＣＳＩ／ＳＲＳリソース管理部
２３    ＵＬ信号受信部
２４    ＤＬ信号送信部
【図１】
2014220683.tif 000003
【図２】
2014220683.tif 000004
【図３】
2014220683.tif 000005
【図４】
2014220683.tif 000006
【図５】
2014220683.tif 000007
【図６】
2014220683.tif 000008
【図７】
2014220683.tif 000009
【図８】
2014220683.tif 000010
【図９】
2014220683.tif 000011
【図１０】
2014220683.tif 000012
【図１１】
2014220683.tif 000013